【手続補正書】
【提出日】平成29年6月9日(2017.6.9)
【手続補正１】
【補正対象書類名】特許請求の範囲
【補正対象項目名】全文
【補正方法】変更
【補正の内容】
【特許請求の範囲】
【請求項１】
メディアコンテンツの再生を管理するためのメディアシステムであって、前記メディアシステムは、コーディネータ装置と、第１のコンテンツ装置と、第２のコンテンツ装置と、前記第1のコンテンツ装置及び前記第２のコンテンツ装置と異なる１つの再生装置と、を有し、
前記第１のコンテンツ装置は、第１のユーザの嗜好に基づく第１のプレイリストを有する携帯メディア装置であり、前記第１のプレイリストは、第１のメディアコンテンツに対する参照をリストしており、
前記第１のコンテンツ装置は、
（ａ）前記コーディネータ装置と通信するための第１のリンクを確立し、
（ｂ）前記コーディネータ装置に前記第１のプレイリストを送り、
前記第２のコンテンツ装置は、第２のユーザの嗜好に基づく第２のプレイリストを有する携帯メディア装置であり、前記第２のプレイリストは、第２のメディアコンテンツに対する参照をリストしており、
前記第２のコンテンツ装置は、
（ａ）前記コーディネータ装置と通信するための第２のリンクを確立し、
（ｂ）前記コーディネータ装置に前記第２のプレイリストを送り、
前記コーディネータ装置は、
（ａ）前記第１及び第２のコンテンツ装置の各々と通信するための前記第１及び第２のリンクを確立し、
（ｂ）前記第１及び第２のコンテンツ装置の各々から前記第１及び第２のプレイリストを受信し、
（ｃ）前記第１及び第２のプレイリストに基づいてマスタープレイリストを作成し、
（ｄ）前記マスタープレイリストによってリストされたメディアコンテンツを選択し、
（ｅ）前記選択されたメディアコンテンツをリストしているコンテンツ装置を選択し、前記選択されたコンテンツ装置は、前記第１及び第２のコンテンツ装置のうちの一方であり、
（ｆ）前記選択されたコンテンツ装置に再生コマンドを送る、
ことによって、前記１つの再生装置における前記第１のコンテンツ装置及び前記第２のコンテンツ装置からの前記第１のメディアコンテンツ及び前記第２のメディアコンテンツの再生を調整し、
前記選択されたコンテンツ装置は、
前記コーディネータ装置から前記再生コマンドを受信し、
前記選択されたメディアコンテンツを読み出し、
前記１つの再生装置において前記選択されたメディアコンテンツを再生するため、前記１つの再生装置との再生リンクを確立し、
前記１つの再生装置は、前記選択されたコンテンツ装置からの前記選択されたメディアコンテンツを再生するために前記再生リンクを受け取る、
メディアシステム。
【請求項２】
請求項１記載のメディアシステムにおいて用いるためのメディアコーディネータ装置であって、前記メディアコーディネータ装置は、
（ａ）前記第１及び第２のコンテンツ装置の各々と通信するための前記第１及び第２のリンクを確立し、
（ｂ）前記第１及び第２のコンテンツ装置の各々から前記第１及び第２のプレイリストを受信し、
（ｃ）前記第１及び第２のプレイリストに基づいてマスタープレイリストを決定し、
（ｄ）前記マスタープレイリストに従ってメディアコンテンツを選択し、
（ｅ）前記選択されたメディアコンテンツをリストしているコンテンツ装置を選択し、前記選択されたコンテンツ装置は、前記第１及び第２のコンテンツ装置のうちの一方であり、
（ｆ）前記選択されたメディアコンテンツを再生するため、前記選択されたコンテンツ装置に再生コマンドを送る、メディアコーディネータ装置。
【請求項３】
前記コーディネータ装置は、前記第１及び第２のプレイリストにおいてリストされたメディアコンテンツを選択する自動選択機能に従って、前記マスタープレイリストを作成することによって、前記第１及び第２のプレイリストに基づき、前記マスタープレイリストを決定する、請求項２記載のメディアコーディネータ装置。
【請求項４】
前記コーディネータ装置は、前記第１及び第２のプレイリストから、交互に、又は、ランダムに、メディアコンテンツを選択する自動選択機能に従って、前記マスタープレイリストを作成する、請求項３記載のメディアコーディネータ装置。
【請求項５】
前記コーディネータ装置は、
前記第１及び第２のプレイリストを用いて中間プレイリストを作成し、
前記第１のコンテンツ装置に前記中間プレイリストを送り、
前記第１のユーザによって前記中間プレイリストから選択された前記メディアコンテンツの選択を前記第１のコンテンツ装置から受信し、
前記第１のユーザによって選択された前記メディアコンテンツを、前記マスタープレイリストのトップにリストする、
ことによって、マスタープレイリストを決定する、請求項２記載のメディアコーディネータ装置。
【請求項６】
前記コーディネータ装置は、
前記第１及び第２のプレイリストの少なくともいずれかを用いて中間プレイリストを作成し、
前記第１及び第２のコンテンツ装置の少なくともいずれかに前記中間プレイリストを送り、
前記第１及び第２のコンテンツ装置の少なくともいずれかからユーザ投票を受信し、前記ユーザ投票は、前記中間プレイリストによってリストされたメディアコンテンツに関連しており、
前記中間プレイリスト及び前記ユーザ投票に基づき、前記マスタープレイリストを作成する、
ことによって、マスタープレイリストを決定する、請求項２記載のメディアコーディネータ装置。
【請求項７】
前記コーディネータ装置は、前記コーディネータ装置のユーザの嗜好に基づき、マスタープレイリストを決定する、請求項２記載のメディアコーディネータ装置。
【請求項８】
第１のユーザの嗜好に基づく前記第１のプレイリストを更に有し、前記第１のプレイリストは、第１のメディアコンテンツをリストし、前記メディアコーディネータ装置は、
（ａ）前記コーディネータ装置と通信するための前記第１のリンクを確立し、
（ｂ）前記コーディネータ装置に前記第１のプレイリストを送り、
（ｃ）前記第１のメディアコンテンツを再生するため、前記コーディネータ装置から再生コマンドを受信し、
（ｄ）前記第１のメディアコンテンツを読み出し、
（ｅ）前記第１のメディアコンテンツを再生するため、前記１つの再生装置との第１の再生リンクを確立する、請求項２記載のメディアコーディネータ装置。
【請求項９】
請求項１記載のメディアシステムにおいて用いるためのメディアコンテンツ装置であって、前記メディアコンテンツ装置は、第１のユーザの嗜好に基づく前記第１のプレイリストを有する携帯メディア装置であり、前記メディアコンテンツ装置は、
（ａ）前記コーディネータ装置と通信するための前記第１のリンクを確立し、
（ｂ）前記コーディネータ装置に前記第１のプレイリストを送り、
（ｃ）前記第１のメディアコンテンツを再生するため、前記コーディネータ装置から前記第１のプレイリストを受信し、
（ｄ）前記第１のメディアコンテンツを読み出し、
（ｅ）前記第１のメディアコンテンツを再生するため、前記１つの再生装置との第１の再生リンクを確立する、メディアコンテンツ装置。
【請求項１０】
前記メディア装置は、前記１つの再生装置に対する前記再生リンクを介して、前記第１のメディアコンテンツをストリーミングすることによって、前記第１のメディアコンテンツを再生する、請求項９記載のメディアコンテンツ装置。
【請求項１１】
前記第１のプレイリストは、オーディオコンテンツを有する第１のメディアコンテンツをリストする、請求項９記載のメディアコンテンツ装置。
【請求項１２】
前記第１のプレイリストは、ビデオコンテンツを有する第１のメディアコンテンツをリストする、請求項９記載のメディアコンテンツ装置。
【請求項１３】
メディアコンテンツの再生を管理するための方法であって、前記方法は、コーディネータ機能と、第１のコンテンツ機能と、第２のコンテンツ機能と、を有するとともに、１つの再生装置を使用し、
前記コーディネータ機能、前記第１のコンテンツ機能、及び、前記第２のコンテンツ機能は、コーディネータ装置、第１のコンテンツ装置、及び、第２のコンテンツ装置によって、それぞれ実行され、前記第１のコンテンツ装置及び前記第２のコンテンツ装置は、携帯メディア装置であり、前記１つの再生装置は前記第１のコンテンツ装置及び前記第２のコンテンツ装置と異なり、
前記第１のコンテンツ機能は、第１のユーザの嗜好に基づく第１のプレイリストを提供し、前記第１のプレイリストは、第１のメディアコンテンツをリストし、前記第１のコンテンツ機能は、
（ａ）前記コーディネータ機能と通信するための第１のリンクを確立し、
（ｂ）前記コーディネータ機能に前記第１のプレイリストを送る、
ことを有し、
前記第２のコンテンツ機能は、第２のユーザの嗜好に基づく第２のプレイリストを提供し、前記第２のプレイリストは、第２のメディアコンテンツをリストし、前記第２のコンテンツ機能は、
（ａ）前記コーディネータ機能と通信するための第２のリンクを確立し、
（ｂ）前記コーディネータ機能に前記第２のプレイリストを送る、
ことを有し、
前記コーディネータ装置は、
（ａ）前記第１及び第２のコンテンツ機能の各々と通信するための前記第１及び第２のリンクを確立し、
（ｂ）前記第１及び第２のコンテンツ機能の各々から前記第１及び第２のプレイリストを受信し、
（ｃ）前記第１及び第２のプレイリストに基づいてマスタープレイリストを決定し、
（ｄ）前記マスタープレイリストに従ってメディアコンテンツを選択し、
（ｅ）前記選択されたメディアコンテンツをリストするコンテンツ装置を選択し、前記選択されたコンテンツ装置は、前記第１及び第２のコンテンツ装置のいずれかであり、
（ｆ）前記選択されたコンテンツ装置に再生コマンドを送る、
ことを有する前記コーディネータ機能を実行することにより、前記１つの再生装置における前記第１のコンテンツ装置及び前記第２のコンテンツ装置からの前記第１のメディアコンテンツ及び前記第２のメディアコンテンツの再生を調整し、
前記選択されたコンテンツ装置によって実行される前記第１のコンテンツ機能又は前記第２のコンテンツ機能のそれぞれが、
前記コーディネータ装置から前記再生コマンドを受信し、
前記選択されたメディアコンテンツを読み出し、
前記１つの再生装置において前記選択されたメディアコンテンツを再生するため、前記１つの再生装置との再生リンクを確立し、
前記１つの再生装置は、前記選択されたコンテンツ装置からの前記選択されたメディアコンテンツを再生するために前記再生リンクを受け取る、
ことを有する、方法。
【請求項１４】
（ａ）前記第１及び第２のコンテンツ機能の各々と通信するための前記第１及び第２のリンクを確立し、
（ｂ）前記第１及び第２のコンテンツ機能の各々から前記第１及び第２のプレイリストを受信し、
（ｃ）前記第１及び第２のプレイリストに基づいてマスタープレイリストを決定し、
（ｄ）前記マスタープレイリストに従ってメディアコンテンツを選択し、
（ｅ）前記選択されたメディアコンテンツをリストするコンテンツ装置を選択し、前記選択されたコンテンツ装置は、前記第１及び第２のコンテンツ装置のいずれかであり、
（ｆ）前記選択されたコンテンツ装置に再生コマンドを送る、
ことを有する、請求項１３記載のコーディネータ機能を、プロセッサシステムに実行させるための命令を有する、コンピュータプログラム製品。
【請求項１５】
（ａ）前記コーディネータ機能と通信するための第１のリンクを確立し、
（ｂ）前記コーディネータ機能に前記第１のプレイリストを送り、
（ｃ）前記第１のメディアコンテンツを再生するため、前記コーディネータ機能から再生コマンドを受信し、
（ｄ）前記第１のメディアコンテンツを読み出し、
（ｅ）前記第１のメディアコンテンツを再生するため、前記１つの再生装置との第１の再生リンクを確立する、
ことを有する、請求項１３記載の第１のコンテンツ機能を、プロセッサシステムに実行させるための命令を有する、コンピュータプログラム製品。